(57)【要約】【課題】受信放送チャンネルの周波数に対して妨害波とならないようなクロック周波数で動作させることができるテレビ受信機およびその信号処理方法を提供する。【解決手段】マイクロプロセッサ２４は、可変発振器２５を制御してデジタル伝送送信回路２３の通信クロックＣ３の周波数を可変制御する。ＰＬＬ回路３２は、通信クロックＣ３に追従して、デジタル伝送受信回路３１の通信クロックＣ４およびパネルドライバ回路３３のパネルドライバクロックＣ５を発生する。マイクロプロセッサ２４は、通信クロックＣ３を可変制御することにより、パネルドライバクロックＣ５の周波数およびその整数倍の高調波周波数が、選局された放送チャンネルの周波数に重ならないように、パネルドライバクロックＣ５の周波数の可変制御を行う。【選択図】      図１
2004172834.tif 000002
【特許請求の範囲】
【請求項１】
受信された放送波から所望の放送チャンネルを選局する選局手段と、
選局された放送チャンネルの映像を表示する映像表示部と、
設定されたクロック周波数に基づいて動作する動作部と、
前記動作部のクロック周波数およびその整数倍の高調波周波数が、選局された放送チャンネルとは異なる周波数となるように、前記クロック周波数の可変制御を行うクロック制御手段と
を備えたことを特徴とするテレビ受信機。
【請求項２】
前記動作部として、前記映像表示部を駆動する駆動手段を備え、
前記クロック制御手段は、少なくとも前記駆動手段の基本動作クロック周波数を制御する
ようになされていることを特徴とする請求項１記載のテレビ受信機。
【請求項３】
前記クロック制御手段は、前記選局された放送チャンネルの周波数に重ならないようなクロック周波数を、チャンネルを選局するたびに演算により求める
ようになされていることを特徴とする請求項１記載のテレビ受信機。
【請求項４】
放送チャンネルとその放送チャンネルの周波数に重ならないようなクロック周波数とに関するデータを、放送チャンネルごとに対応付けて記憶する記憶手段をさらに備え、
前記クロック制御手段は、前記記憶手段の記憶内容に基づいて前記クロック周波数を制御する
ようになされていることを特徴とする請求項１記載のテレビ受信機。
【請求項５】
選局された放送チャンネルの信号をデジタル信号に変換する信号処理部と、
前記デジタル信号を一時的に記憶するバッファ手段と、
前記バッファ手段から読み出されたデジタル信号に基づいて前記映像表示部を駆動する駆動手段と
をさらに備え、
前記クロック制御手段は、少なくとも前記バッファ手段の読出しクロック周波数と前記駆動手段の基本動作クロック周波数とを制御する
ようになされていることを特徴とする請求項１記載のテレビ受信機。
【請求項６】
選局された放送チャンネルの信号をデジタル信号に変換する信号処理部と、
前記デジタル信号を、設定された通信クロックに基づいて伝送する伝送手段と、
前記伝送手段によって伝送されたデジタル信号に基づいて前記映像表示部を駆動する駆動手段と
をさらに備え、
前記クロック制御手段は、少なくとも前記伝送手段の通信クロック周波数と前記駆動手段の基本動作クロック周波数とを制御する
ようになされていることを特徴とする請求項１記載のテレビ受信機。
【請求項７】
受信された放送波から所望の放送チャンネルを選局する選局手段と、選局された放送チャンネルの映像を表示する映像表示部と、設定されたクロック周波数に基づいて動作する動作部と、を備えたテレビ受信機における信号処理方法であって、
前記動作部のクロック周波数およびその整数倍の高調波周波数が、選局された放送チャンネルとは異なる周波数となるように、前記クロック周波数の可変制御を行う
ことを特徴とする信号処理方法。
【発明の詳細な説明】
【０００１】
【発明の属する技術分野】
本発明は、テレビ（テレビジョン）放送を受信してそのテレビ映像を表示するテレビ受信機およびそれに用いられる信号処理方法に関する。
【０００２】
【従来の技術】
テレビ受信機は、図１０に示したように、テレビ放送電波をアンテナ１０１によって受信し、そのテレビ映像を表示するものである。このテレビ受信機は、例えば、チューナ回路１０３と、映像信号処理回路１０４と、パネルドライバ回路１０５と、表示部１０６とを備えて構成される。表示部１０６としては、近年、例えばＬＣＤ（Ｌｉｑｕｉｄ  Ｃｒｙｓｔａｌ  Ｄｉｓｐｌａｙ）またはＰＤＰ（Ｐｌａｓｍａ  Ｄｉｓｐｌａｙ  Ｐａｎｅｌ）などのフラットパネルディスプレイが使用されることが多くなってきている。
【０００３】
このテレビ受信機において、チューナ回路１０３には、アンテナ１０１によって受信された放送波がアンテナ入力端子１０２を介して入力される。チューナ回路１０３は、受信された放送波から所望の放送チャンネルを選局する。映像信号処理回路１０４には、チューナ回路１０３によって選局された放送チャンネルのアナログビデオ信号Ｓａが入力される。映像信号処理回路１０４は、入力されたアナログビデオ信号Ｓａに対してＡ／Ｄ（アナログ／デジタル）変換処理などを施す。パネルドライバ回路１０５には、映像信号処理回路１０４からのデジタルビデオ信号Ｓｄが入力される。パネルドライバ回路１０５は、入力されたデジタルビデオ信号Ｓｄに基づいて、表示部１０６を駆動する。表示部１０６は、パネルドライバ回路１０５からのパネルドライブ信号Ｓｐによって駆動され、選局された放送チャンネルの映像を表示する。
【０００４】
ところで、表示部１０６として用いられているＬＣＤまたはＰＤＰなどのフラットパネルディスプレイは、画像を表示させるために多数のドライバ素子（パネルドライバ回路１０５）がパネルの周辺や裏面に設けられており、それらは一定のクロック周波数を元に動いている。多数の素子が動作することによる、クロック周波数およびその整数倍の高調波周波数での輻射レベルは大きく、その輻射１１０は、図１０に示したように、非常に微弱な信号を扱うアンテナ１０１、アンテナケーブル、およびアンテナ入力端子１０２やチューナ回路１０３内の高周波増幅回路等に妨害波として飛び込んでしまう。
【０００５】
一般に、フラットパネルディスプレイのクロック周波数およびその整数倍の高調波周波数が、受信しているテレビ放送電波の映像搬送波周波数から６ＭＨｚ以内にあると、斜め縞等のビートノイズとなって画面上に見えてしまう。近年では、フラットパネルディスプレイがより高精細になってきているが、それに従い、ドライバ素子の数も増えて輻射レベルが大きくなり、より画面上にビートノイズが見え易くなってきている。
【０００６】
従来では、このビートノイズを軽減するために、図１１に示したように、ドライバ素子部分（パネルドライバ回路１０５）や、ドライバ素子につながるケーブルや、パネル全体（表示部１０６）をシールド手段１２０でシールドすることにより、上述の妨害波が軽減されるよう、クロック周波数およびその整数倍の高調波周波数の輻射レベルを小さく抑えるようにしていた。
【０００７】
【発明が解決しようとする課題】
しかしながら、このシールド手段１２０を用いた方法では、構造上完全にビートノイズを無くすことは難しいという問題があり、また、シールドするための材料費および組立加工費も高いという問題があった。
【０００８】
その他のビートノイズ軽減方法としては、最もビートノイズの出るテレビチャンネルの映像搬送波周波数から、フラットパネルディスプレイのクロック周波数およびその高調波周波数が離れるように、クロック周波数そのものを変更するやり方がある。しかしながら、テレビ放送のチャンネルは、図９に示したように、ＶＨＦ（Ｖｅｒｙ  Ｈｉｇｈ  Ｆｒｅｑｕｅｎｃｙ）帯、ＣＡＴＶ（Ｃａｂｌｅ  Ｔｅｌｅｖｉｓｉｏｎ）周波数帯、およびＵＨＦ（Ｕｌｔｒａ  Ｈｉｇｈ  Ｆｒｅｑｕｅｎｃｙ）帯と非常に多く、すべてのテレビ放送チャンネルにおいてビートノイズが出ないクロック周波数を選ぶことは不可能であった。
【０００９】
本発明はかかる問題点に鑑みてなされたもので、その目的は、受信放送チャンネルの周波数に対して妨害波とならないようなクロック周波数で動作させることができるテレビ受信機およびその信号処理方法を提供することにある。
【００１０】
【課題を解決するための手段】
本発明によるテレビ受信機は、受信された放送波から所望の放送チャンネルを選局する選局手段と、選局された放送チャンネルの映像を表示する映像表示部と、設定されたクロック周波数に基づいて動作する動作部と、動作部のクロック周波数およびその整数倍の高調波周波数が、選局された放送チャンネルとは異なる周波数となるように、クロック周波数の可変制御を行うクロック制御手段とを備えたものである。
【００１１】
本発明による信号処理方法は、受信された放送波から所望の放送チャンネルを選局する選局手段と、選局された放送チャンネルの映像を表示する映像表示部と、設定されたクロック周波数に基づいて動作する動作部と、を備えたテレビ受信機における信号処理方法であって、動作部のクロック周波数およびその整数倍の高調波周波数が、選局された放送チャンネルとは異なる周波数となるように、クロック周波数の可変制御を行うようにしたものである。
【００１２】
ここで、本発明によるテレビ受信機および信号処理方法において、動作部としては、例えばＬＣＤまたはＰＤＰなどのフラットパネルディスプレイを駆動するための駆動手段が該当する。また駆動手段以外にも、受信放送チャンネルの周波数に対して妨害波となり得るクロック周波数で動作する、その他のデジタル信号回路も、本発明における動作部に該当する。
【００１３】
本発明によるテレビ受信機および信号処理方法では、動作部のクロック周波数およびその整数倍の高調波周波数が、選局された放送チャンネルとは異なる周波数となるように可変制御される。したがって、動作部が、受信放送チャンネルの周波数に対して妨害波とならないようなクロック周波数で動作する。
【００１４】
【発明の実施の形態】
以下、本発明の実施の形態について図面を参照して詳細に説明する。
【００１５】
図１は、本発明の一実施の形態に係るテレビ受信機の構成例を示している。このテレビ受信機は、テレビ放送電波をアンテナ１１を介して受信し、そのテレビ映像を表示するものである。
【００１６】
このテレビ受信機は、チューナ回路２０と、映像信号処理回路２１と、バッファメモリ回路２２とを備えている。チューナ回路２０は、アンテナ入力端子１２を介して入力された受信放送波から、所望の放送チャンネルを選局するためのものである。映像信号処理回路２１は、選局された放送チャンネルのアナログビデオ信号Ｓａに対してＡ／Ｄ（アナログ／デジタル）変換処理などの信号処理を施すためのものである。バッファメモリ回路２２は、映像信号処理回路２１からのデジタルビデオ信号Ｓｄを一時的に記憶するためのものである。このバッファメモリ回路２２には、書込みクロックＣ１に従って信号データが記憶されると共に、その記憶した信号データが、読出しクロックＣ２に従って読み出されるようになっている。
【００１７】
このテレビ受信機はまた、デジタル伝送送信回路２３と、マイクロプロセッサ２４と、可変発振器２５と、パネルブロック３０とを備えている。パネルブロック３０は、デジタル伝送受信回路３１と、ＰＬＬ（Ｐｈａｓｅ  Ｌｏｃｋｅｄ  Ｌｏｏｐ）回路３２と、パネルドライバ回路３３と、表示部３４とを有している。
【００１８】
デジタル伝送送信回路２３は、バッファメモリ回路２２から読み出されたデジタルビデオ信号Ｓｄをパネルブロック３０に伝送するためのものである。このデジタル伝送送信回路２３は、通信クロックＣ３に従って、例えばＬＶＤＳ（Ｌｏｗ  Ｖｏｌｔａｇｅ  Ｄｉｆｆｅｒｅｎｔｉａｌ  Ｓｉｇｎａｌｉｎｇ）やＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）などのデジタル伝送方式により、パネルブロック３０内のデジタル伝送受信回路３１との間で信号伝送を行うようになっている。デジタル伝送送信回路２３の通信クロックＣ３は、バッファメモリ回路２２の読出しクロックＣ２に同期している。
【００１９】
可変発振器２５は、バッファメモリ回路２２の読出しクロックＣ２とデジタル伝送送信回路２３の通信クロックＣ３とを発生するためのものである。ＰＬＬ回路３２は、デジタル伝送受信回路３１の通信クロックＣ４とパネルドライバ回路３３の基本動作クロック（パネルドライバクロック）Ｃ５とを、デジタル伝送送信回路２３の通信クロックＣ３に追従して発生するようになっている。
【００２０】
マイクロプロセッサ２４は、このテレビ受信機の各ブロックの制御を行うためのものである。例えば、マイクロプロセッサ２４は、可変発振器２５を制御して通信クロックＣ３の周波数を可変制御するようになっている。パネルドライバクロックＣ５は、ＰＬＬ回路３２によって通信クロックＣ３に追従して発生されるので、通信クロックＣ３を可変制御することで、パネルドライバクロックＣ５を可変制御することができる。このことを利用し、マイクロプロセッサ２４は、通信クロックＣ３を可変制御することにより、パネルドライバクロックＣ５の周波数およびその整数倍の高調波周波数が、選局された放送チャンネルの周波数に重ならないように、すなわち、選局された放送チャンネルとは異なる周波数となるようにパネルドライバクロックＣ５の周波数の可変制御を行うようになっている。このパネルドライバクロックＣ５の周波数制御を行う点が、本実施の形態における最も特徴的な部分である。なお、パネルドライバクロックＣ５の周波数の決め方については、後に詳述する。
【００２１】
パネルドライバ回路３３は、デジタル伝送受信回路３１を介して入力されたデジタルビデオ信号Ｓｄに基づいて、表示部３４を駆動するようになっている。表示部３４は、パネルドライバ回路３３からのパネルドライブ信号Ｓｐによって駆動され、選局された放送チャンネルの映像を表示するようになっている。表示部３４は、例えばＬＣＤまたはＰＤＰなどのフラットパネルディスプレイによって構成されている。
【００２２】
図２は、このテレビ受信機における選局に関わる部分の構成を示している。ここでは、現在一般的に使われているＰＬＬ方式により選局を行う場合を示している。このテレビ受信機は、ＥＥＰ（Ｅｌｅｃｔｒｉｃａｌｌｙ  Ｅｒａｓａｂｌｅ  Ｐｐｒｏｇｒａｍｍａｂｌｅ）−ＲＯＭ（Ｒｅａｄ  Ｏｎｌｙ  Ｍｅｍｏｒｙ）４１と、ユーザインタフェース４２とを有している。チューナ回路２０は、ＰＬＬ分周器４３を有している。ユーザインタフェース４２は、図示しないが、リモコン（リモートコントローラ）やテレビ受信機本体に設けられた操作ボタンなどにより構成される。
【００２３】
マイクロプロセッサ２４は、ユーザによりユーザインタフェース４２を用いたチャンネル変更の操作を受けると、ユーザにより指示されたチャンネルに対応する、ＥＥＰ−ＲＯＭ４１に記憶されている分周比データＤ１を読み出してチューナ回路２０に送るようになっている。チューナ回路２０は、マイクロプロセッサ２４から、ＰＬＬ分周器４３の分周比を決めるデータＤ１を送ってもらい、目的のテレビ放送チャンネルの周波数に同調するようになっている。これにより、目的のテレビ放送チャンネルが選局される。
【００２４】
図３は、ＥＥＰ−ＲＯＭ４１に記憶されている分周比に関するデータの例を示している。図示したように、ＥＥＰ−ＲＯＭ４１には、各放送チャンネル（１ｃｈ，２ｃｈ，…６２ｃｈ）と分周比（１／Ｎ１，１／Ｎ２，…１／Ｎ６２）とを対応付けたデータが保持されている。このデータは、テレビ受信機のファームウエアに書き込まれていても良い。
【００２５】
ここで、本実施の形態において、チューナ回路２０が、本発明における「選局手段」の一具体例に対応し、表示部３４が、本発明における「映像表示部」の一具体例に対応する。また、主としてパネルドライバ回路３３が、本発明における「動作部」の一具体例に対応し、マイクロプロセッサ２４および可変発振器２５が、本発明における「クロック制御手段」の一具体例に対応する。
【００２６】
また、パネルドライバ回路３３が、本発明における「駆動手段」の一具体例に対応する。また、ＥＥＰ−ＲＯＭ４１が、本発明における「記憶手段」の一具体例に対応する。また、映像信号処理回路２１が、本発明における「信号処理部」の一具体例に対応し、バッファメモリ回路２２が、本発明における「バッファ手段」の一具体例に対応する。また、デジタル伝送送信回路２３およびデジタル伝送受信回路３１が、本発明における「伝送手段」の一具体例に対応する。
【００２７】
次に、以上のように構成されたテレビ受信機の動作を説明する。
【００２８】
このテレビ受信機において、チューナ回路２０には、アンテナ１１によって受信された放送波がアンテナ入力端子１２を介して入力される。チューナ回路２０は、受信された放送波から所望の放送チャンネルを選局する。選局は、図２に示したように、ユーザからのユーザインタフェース４２を用いたチャンネル変更の操作に基づいて行われる。マイクロプロセッサ２４は、チャンネル変更の操作を受けると、ＥＥＰ−ＲＯＭ４１に記憶されている、各放送チャンネルと分周比とを対応付けたデータ（図３）を参照して、ユーザにより指示されたチャンネルに対応する分周比データＤ１を読み出し、チューナ回路２０に送る。チューナ回路２０では、その分周比データＤ１に対応するテレビ放送チャンネルの周波数に同調し、選局が行われる。
【００２９】
映像信号処理回路２１には、チューナ回路２０によって選局された放送チャンネルのアナログビデオ信号Ｓａが入力される。映像信号処理回路２１は、入力されたアナログビデオ信号Ｓａに対してＡ／Ｄ変換処理などを施す。バッファメモリ回路２２は、書込みクロックＣ１に従って映像信号処理回路２１からのデジタルビデオ信号Ｓｄを一時的に記憶する。記憶されたデジタルビデオ信号Ｓｄは、可変発振器２５からの読出しクロックＣ２に従って読み出され、デジタル伝送送信回路２３に送られる。
【００３０】
デジタル伝送送信回路２３は、バッファメモリ回路２２から読み出されたデジタルビデオ信号Ｓｄを、通信クロックＣ３に従ってパネルブロック３０に伝送する。デジタル伝送受信回路３１は、デジタル伝送送信回路２３から伝送されてきデジタルビデオ信号Ｓｄを、通信クロックＣ４に従ってパネルドライバ回路３３に出力する。
【００３１】
マイクロプロセッサ２４は、可変発振器２５を制御してデジタル伝送送信回路２３の通信クロックＣ３の周波数を可変制御する。ＰＬＬ回路３２は、通信クロックＣ３に追従して、デジタル伝送受信回路３１の通信クロックＣ４およびパネルドライバ回路３３のパネルドライバクロックＣ５を発生する。マイクロプロセッサ２４は、通信クロックＣ３を可変制御することにより、パネルドライバクロックＣ５の周波数およびその整数倍の高調波周波数が、選局された放送チャンネルの周波数に重ならないように、すなわち、選局された放送チャンネルとは異なる周波数となるように、パネルドライバクロックＣ５の周波数の可変制御を行う。
【００３２】
パネルドライバ回路３３には、デジタル伝送受信回路３１を介してデジタルビデオ信号Ｓｄが入力される。パネルドライバ回路３３は、パネルドライバクロックＣ５に従って動作し、入力されたデジタルビデオ信号Ｓｄに基づいて、表示部３４を駆動する。表示部３４は、パネルドライバ回路３３からのパネルドライブ信号Ｓｐによって駆動され、選局された放送チャンネルの映像を表示する。
【００３３】
次に、マイクロプロセッサ２４によるパネルドライバ回路３３の基本動作クロック（パネルドライバクロック）Ｃ５の制御方法、特に、そのクロック周波数の決め方について詳述する。
【００３４】
まず、画面上にビートノイズを生じさせないためには、パネルドライバクロックＣ５の周波数およびその整数倍の高調波周波数が、受信しているテレビ放送電波の映像搬送波周波数からどれだけ離れている必要があるか？  ということについて考察する。地上波のチャンネル帯域幅は、日本およびアメリカなどでは、映像搬送波周波数＋４．２／−０．７５ＭＨｚ、その他の国々では、映像搬送波周波数＋５／−０．７５ＭＨｚ〜＋１０／−２ＭＨｚである。したがって、パネルドライバクロックＣ５のクロック周波数およびその整数倍の高調波周波数が、受信しているテレビ放送チャンネルの映像搬送波周波数よりも、上記の帯域幅以上離れていれば、画面上にビートノイズが出なくなる。
【００３５】
そこで、受信放送チャンネルごとに、上記帯域幅を考慮した条件を満たすようにしてクロック周波数を決めてやれば良い。本実施の形態では、クロック周波数の決め方およびその制御方法として、２つの方法を提案する。
【００３６】
まず、第１の方法を説明する。既に図２を用いて説明したように、現在一般的に使われているＰＬＬ方式のチューナ回路２０は、マイクロプロセッサ２４から、ＰＬＬ分周器４３の分周比を決めるデータを送ってもらい、目的のテレビ放送チャンネルの周波数に同調するようになっている。したがってマイクロプロセッサ２４は、分周比データＤ１から、受信する放送チャンネルの映像搬送波周波数を計算することは容易にできる。第１の方法では、分周比データＤ１から計算された映像搬送波周波数に基づいて、クロック周波数を決定、制御する。
【００３７】
図６を参照して、この第１の方法をより詳しく説明する。マイクロプロセッサ２４は、チャンネルの変更操作を受ける（ステップＳ１１）と、ＥＥＰ−ＲＯＭ４１に記憶されている内容（図３）を参照して、指示されたチャンネルに対応する分周比データＤ１を読み出し、チューナ回路２０に送る。次に、マイクロプロセッサ２４は、その分周比データＤ１から映像搬送波周波数を求める（ステップＳ１２）。
【００３８】
マイクロプロセッサ２４は、次に、現在のパネルドライバクロックＣ５のクロック周波数およびその整数倍の高調波周波数が、上述の周波数帯域幅以上、映像搬送波周波数から離れているか比較を行う（ステップＳ１３）。比較の結果、十分離れていれば（ステップＳ１４：Ｙ）、現在のそのままのクロック周波数を用いてパネルドライバ回路３３を駆動制御する（ステップＳ１７）。一方、十分離れていない場合（ステップＳ１４：Ｎ）には、上述の周波数帯域幅以上、映像搬送波周波数から離れるようなクロック周波数を所定の演算により求め（ステップＳ１５）、パネルドライバクロックＣ５を、その求めたクロック周波数に変更して（ステップＳ１６）、パネルドライバ回路３３を駆動制御する（ステップＳ１７）。
【００３９】
図８は、最適なクロック周波数を演算により求める方法の一例である。マイクロプロセッサ２４は、パネルドライバクロックＣ５のクロック周波数ｆｃｌｏｃｋを、あらかじめプログラム上で設定された初期のクロック周波数ｆｃｌｏｃｋ（初期値）に設定する（ステップＳ３１）。次に、マイクロプロセッサ２４は、受信放送チャンネルの映像搬送波周波数ｆｐをクロック周波数ｆｃｌｏｃｋで割った値「ｎ＝ｆｐ／ｆｃｌｏｃｋ」を計算する（ステップＳ３２）。このとき、ｎの値は、小数点以下を切り捨てた値とする。
【００４０】
次に、マイクロプロセッサ２４は、次の条件式（１）を満たしているか否かを計算する。式（１）において、ｆＢＷは上述の放送波のチャンネル帯域幅を示し、＊は、乗算記号を示す。
ｆｐ−ｎ＊ｆｃｌｏｃｋ＞ｆＢＷ  ……（１）
【００４１】
条件式（１）を満たしていなければ（ステップＳ３３：Ｎ）、以下の式（２）のように、所定の変化量Δｆを足した値をあらたなクロック周波数ｆｃｌｏｃｋとして設定し（ステップＳ３５）、ステップＳ３２に戻る。Δｆは、あらかじめプログラム上で設定されたクロック周波数の変化量である。
ｆｃｌｏｃｋ＝ｆｃｌｏｃｋ＋Δｆ  ……（２）
【００４２】
条件式（１）を満たしていれば（ステップＳ３３：Ｙ）、さらに次の条件式（３）を満たしているか否かを計算する。
（ｎ＋１）＊ｆｃｌｏｃｋ−ｆｐ＞ｆＢＷ  ……（３）
【００４３】
条件式（３）を満たしていなければ（ステップＳ３４：Ｎ）、所定の変化量Δｆを足した値をあらたなクロック周波数ｆｃｌｏｃｋとして設定し（ステップＳ３５）、ステップＳ３２に戻る。条件式（３）を満たしていれば（ステップＳ３４：Ｙ）、そのクロック周波数ｆｃｌｏｃｋを最終的なパネルドライバクロックＣ５のクロック周波数として決定する。
【００４４】
なお、クロック周波数を図８に示した演算によって求めるのではなく、あらかじめファームウエアまたはＥＥＰ−ＲＯＭ４１に映像搬送波周波数に対応する、いくつかのクロック周波数の候補を記憶しておき、その中から最適なクロック周波数を選択するようにしても良い。
【００４５】
次に、第２の方法を説明する。この方法は、あらかじめファームウエアまたはＥＥＰ−ＲＯＭ４１に、図４に示したように、上述の周波数帯域幅の条件を満たすクロック周波数を各放送チャンネルごとに対応付けて記憶しておき、その記憶したデータに基づいてクロック周波数を制御するものである。
【００４６】
この第２の方法では、図７に示したように、マイクロプロセッサ２４は、チャンネルの変更操作を受ける（ステップＳ２１）と、ＥＥＰ−ＲＯＭ４１に記憶されている分周比とチャンネルとのデータ（図３）を参照して、指示されたチャンネルに対応する分周比データＤ１を読み出し、チューナ回路２０に送る。一方で、マイクロプロセッサ２４は、ＥＥＰ−ＲＯＭ４１またはファームウエアに記憶されているクロック周波数とチャンネルとのデータ（図４）を参照して、指示されたチャンネルに対応する最適なクロック周波数を読み出し（ステップＳ２２）、パネルドライバクロックＣ５を、その求めたクロック周波数に変更して、パネルドライバ回路３３を駆動制御する（ステップＳ２３，Ｓ２４）。
【００４７】
以上説明したように、本実施の形態によれば、パネルドライバ回路３３におけるパネルドライバクロックＣ５のクロック周波数およびその整数倍の高調波周波数が、選局された放送チャンネルの周波数に重ならないように、すなわち、選局された放送チャンネルとは異なる周波数となるように、そのクロック周波数を可変制御するようにしたので、パネルドライバ回路３３を受信放送チャンネルの周波数に対して妨害波とならないようなクロック周波数で動作させることができる。
【００４８】
これにより、従来、アンテナ１１、アンテナケーブル、アンテナ入力端子１２やチューナ回路２０内の高周波増幅回路等に、クロック周波数が妨害波として飛び込むことにより生じていた画面上のビートノイズを、シールド手段を用いた場合のような対処療法的ではなく、根本的に無くすことができる。また従来のシールド手段による手法と比べて、表示部３４およびパネルドライバ回路３３等をシールドするための材料費および組立加工費を削減できるので、安価で実施できる。
【００４９】
［他の実施の形態］
以下では、上記実施の形態と異なる部分のみ説明する。上記実施の形態では、デジタルビデオ信号Ｓｄを、ＬＶＤＳやＴＭＤＳなどのデジタル伝送方式により、パネルドライバ回路３３に伝送するようにした回路例を示したが、図５に示したように、ＣＭＯＳ（Ｃｏｍｐｌｅｍｅｎｔａｒｙ  Ｍｅｎｔａｌ−Ｏｘｉｄｅ  Ｓｅｍｉｃｏｎｄｕｃｔｏｒ  ｄｅｖｉｃｅ）レベルやＴＴＬ（Ｔｒａｎｓｉｓｔｏｒ  Ｔｒａｎｓｉｓｔｏｒ  Ｌｏｇｉｃ）レベルでの信号伝送を行うような構成にしても良い。
【００５０】
図５に示した回路は、図１に示した回路構成と比較して、デジタル伝送に関わる回路部分（デジタル伝送送信回路２３、デジタル伝送受信回路３１およびＰＬＬ回路３２）を省略したものである。可変発振器２５は、バッファメモリ回路２２の読出しクロックＣ２と、それに同期したパネルドライバクロックＣ５とを発生するようになっている。
【００５１】
この回路では、バッファメモリ回路２２の書込みクロックＣ１のクロック周波数と読出しクロックＣ２のクロック周波数とが、別々に制御可能となっている。この回路では、映像信号処理回路２１からバッファメモリ回路２２に、一定の周波数の書込みクロックＣ１でデジタルビデオ信号データＳｂが書き込まれる。マイクロプロセッサ２４は、可変発振器２５をコントロールすることにより、パネルドライバクロックＣ５のクロック周波数を可変制御できる。クロック周波数の決定方法は、上記実施の形態と同様である。
【００５２】
本発明は、以上の実施の形態に限定されず種々の変形実施が可能である。例えば、上記実施の形態では、フラットパネルディスプレイで一番問題となる、パネルドライバクロックＣ５を可変制御する場合について述べたが、テレビ放送を受信するチューナと同じセット内にデジタル信号回路があると、多かれ少なかれ、画面にビートが見える妨害が問題となる。その場合、問題となっているデジタル信号回路のクロック周波数を、上述のパネルドライバクロックＣ５のクロック周波数と同様に最適化して決定し、可変制御することで、画面上のビートノイズを無くすことができる。また本発明は、表示手段としてフラットパネルディスプレイを用いたテレビ受信機に限らず、ＣＲＴ（Ｃａｔｈｏｄｅ  Ｒａｙ  Ｔｕｂｅ）を用いたテレビ受信機にも適用可能である。
【００５３】
【発明の効果】
以上説明したように、請求項１ないし６のいずれか１項に記載のテレビ受信機、または請求項７記載の信号処理方法によれば、動作部のクロック周波数およびその整数倍の高調波周波数が、選局された放送チャンネルとは異なる周波数となるように、そのクロック周波数を可変制御するようにしたので、動作部を受信放送チャンネルの周波数に対して妨害波とならないようなクロック周波数で動作させることができる。これにより、動作部のクロック周波数が原因で生じていたビートノイズの問題を、理論上無くすことができる。また従来のシールド手段による手法と比べて安価で実施できる。
【図面の簡単な説明】
【図１】本発明の一実施の形態に係るテレビ受信機の構成例を示すブロック図である。
【図２】本発明の一実施の形態に係るテレビ受信機における選局に関わる部分の構成を示すブロック図である。
【図３】記憶手段に記憶される放送チャンネルと分周比との関係を示す説明図である。
【図４】記憶手段に記憶される放送チャンネルとクロック周波数との関係を示す説明図である。
【図５】本発明の他の実施の形態に係るテレビ受信機の構成例を示すブロック図である。
【図６】クロック周波数の決め方の一例を示す流れ図である。
【図７】クロック周波数の決め方の他の例を示す流れ図である。
【図８】演算によりクロック周波数を求める手法の一例を示す流れ図である。
【図９】パネルドライバ回路のクロック周波数と日本のテレビ放送周波数帯との関係を示す説明図である。
【図１０】従来のテレビ受信機の構成例を示すブロック図である。
【図１１】従来のテレビ受信機の他の構成例を示すブロック図である。
【符号の説明】
Ｃ１…書込みクロック、Ｃ２…読出しクロック、Ｃ３，Ｃ４…通信クロック、Ｃ５…パネルドライブクロック、Ｓａ…アナログビデオ信号、Ｓｄ…デジタルビデオ信号、Ｓｐ…パネルドライブ信号、１１…アンテナ、２０…チューナ回路、２１…映像信号処理回路、２２…バッファメモリ回路、２３…デジタル伝送送信回路、２４…マイクロプロセッサ、２５…可変発振器、３１…デジタル伝送受信回路、３２…ＰＬＬ回路、３３…パネルドライバ回路、３４…表示部、４１…ＥＥＰ−ＲＯＭ、４３…ＰＬＬ分周器。
【図１】
2004172834.tif 000003
【図２】
2004172834.tif 000004
【図３】
2004172834.tif 000005
【図４】
2004172834.tif 000006
【図５】
2004172834.tif 000007
【図６】
2004172834.tif 000008
【図７】
2004172834.tif 000009
【図８】
2004172834.tif 000010
【図９】
2004172834.tif 000011
【図１０】
2004172834.tif 000012
【図１１】
2004172834.tif 000013